Podtech/llm-jp-corpus-v4-ja_patent huggingface dataset:
(57)【要約】      （修正有）【課題】本考案は、フレミングの左手、右手の法則を指を使わず、垂直に交わる指示板で示すことができるフレミングの法則説明装置を提供する。【解決手段】Ｌ字形の板３枚作り、３枚の板は折りたためるように２つの軸でつなぐ。３つのＬ字板を開いたとき、ＣＢＤ側の面を灰色に、また、ＣＢＥ側の面を赤色に着色する。表面に、それぞれ、磁界、導線の移動方向、誘導電流、電流の文字を記入する。また、裏側の部分に、それぞれ、磁界、磁界より受ける力の文字を記入する。以上のように、３枚のＬ字形板を２つの軸で接続し開閉できる装置。【選択図】図３
0003111371.tif 000002
【実用新案登録請求の範囲】
【請求項１】
図１において、Ｌ字形の板を３枚作り、図２のように、３枚の板は折りたためるように２つの軸でつなぐ。図３のように３つのＬ字板を開いたとき、ＣＢＤ側の面を灰色に、また、ＣＢＥ側の面を赤色に着色する。図３で、１，２，３，４の表面に、それぞれ、磁界、導線の移動方向、誘導電流、電流の文字を記入する。また、図３の１，２の裏側の部分に、それぞれ、磁界、磁界より受ける力の文字を記入する。以上のように、３枚のＬ字形板を２つの軸で接続し、Ｌ字板が開閉できることを特徴とする装置。
【考案の詳細な説明】
【考案の精細な説明】
【技術分野】
【０００１】  本考案はフレミングの法則を説明するための装置である。
【背景技術】
【０００２】  電磁気の初歩を学ぶ場合、磁界から受ける力の向きや、誘導電流の向きは、フレミングの法則を用いて説明しています。【０００３】  しかし、教科書からは、フレミングの法則の説明は削除されています。実際にこの法則を用いる場合、指を開いた状態では、指の方向が、装置での磁界や電界の方向を向いているとは限らず、腕や体を動かす必要があります。体が自由に動く人にとっても大変です。この法則が削除された理由は、体の不自由な人への配慮からだと思います。【０００４】  しかしながら、フレミングの法則を用いないで、電磁気の初歩を学ぶことは至難です。【０００５】  対策として、実際には、指の方向が目的の方向を向くように、腕や手を動かしたり、テスト問題では、答案用紙の方を動かす方法がありますが、これらの操作は煩雑です。
【考案が解決しようとする課題】
【０００６】  解決しようとする問題点は、導線を流れる電流や、磁界から受ける力の方向が、指を自然に広げた状態では、指の方向と一致しない場合が多いことである。
【課題を解決するための手段】
【０００７】  本考案は指の代わりに、指を開いた状態の指示板を作り、各指示板が直角に交わるようにする。
【考案の実施形態】
【０００８】  装置は、指示板の赤色部分が左手の法則、灰色部分が右手の法則を示すような形態をしている。
【実施例】
【０００９】  図２において、Ｄはそのままにして、軸を中心に、ＥをＣに対して９０度開くと、赤色の面がでる。  その場合、図３を参考にすると、親指すなわちＢの向きは、磁界から受ける力の方向。人差し指すなわちＣの向きは磁界。中指すなわちＥの向きは電流を示しており、フレミングの左手の法則と一致している。【００１０】  図２において、Ｅはそのままにして、軸を中心に、ＤをＣに対して９０度開くと、灰の面がでる。  その場合、図３を参考にすると、親指すなわちＢの向きは導線の移動の方向。人差し指すなわちＣの向きは磁界。中指すなわちＤの向きは誘導電流の向きをを示しており、フレミングの右手の法則と一致している。【００１１】  図４は図３の装置の応用例で、図の状態がフレミングの右手の法則を示し。また、軸を中心にＱを点線の位置まで回転すると、フレミングの左手を示している。
【考案の効果】
【００１２】  以上のように、フレミングの左手の法則を調べるときは赤色側、右手の法則を調べるときは灰色側を利用すると、腕や体を動かして、無理な姿勢で指を装置の方向に向けることなく、簡単に調べることができる。
【００１３】  図２の装置でフレミングの左手の法則で調べるときは、Ｅを開き、２枚の板の赤色部分が内側向きで、９０度で直交するようにする。また、フレミングの右手の法則で調べるときは、Ｄを開き、２枚の板の灰色部分が内側向きで、９０度で直交するようにして使用すると、、手や体を大きく動かさなくても、目的の方向を知ることができる。
【図面の簡単な説明】
【図１】  図１は装置の部品を示す図である。
【図２】  ３枚のＬ字形板を２つの軸で接続した図である。
【図３】  完成品であり、各板を開いた状態の斜視図。
【図４】  応用例を示す斜視図。
【符号の説明】
１  磁界  の文字を記入。裏面には、磁界  の文字を記入
２  導線の移動方向  の文字を記入。裏面には、磁界より受ける力  の文字を記入
３  誘導電流の向き  の文字を記入
４  電流  の文字を記入
Ａ，Ｂ，Ｃ，Ｄ，Ｅ，Ｐ，Ｑ      は場所を示す
【図１】
0003111371.tif 000003
【図２】
0003111371.tif 000004
【図３】
0003111371.tif 000005
【図４】
0003111371.tif 000006
【手続補正書】
【提出日】平成17年3月12日(2005.3.12)
【手続補正１】
【補正対象書類名】実用新案登録請求の範囲
【補正対象項目名】全文
【補正方法】変更
【補正の内容】
【実用新案登録請求の範囲】
【請求項１】
Ｌ字形の板２枚を接着剤を用いて布で繋ぎ、繋ぎ目、すなわち、のりしろの部分で自由に２方向に折れ曲がるようにし、継ぎ目で２枚の板を９０回転させたとき、折れ曲がったＴ字形の端が、左手の人さし指、中指、親指を直角に開いたときの方向と一致する側を赤色に着色し、赤色に着色された部分の３つの端の、左手の人さし指、中指、親指を直角に開いたときに指の方向に相当する部分にそれぞれ、磁界、電流、磁界から受ける力、と記入し、Ｔ字型の裏側を灰色塗装し、折り目を９０度回転させたとき、灰色に着色された３つの端の、右手の人さし指、中指、親指を直角に開いたときに指の方向に相当する部分にそれぞれ、磁界、誘導電流、導線の移動方向、と記入する、以上の構成からなるフレミングの法則説明装置。
(57)【要約】      （修正有）【課題】名札を陳列するトレイから取り出しやすく、整列が崩れにくくなるような機能を与え、その配列を乱すことなく美しく整頓された陳列を保持し、さらにトレイの底面を傾斜させ、設置スペースを小さくする。【解決手段】トレイの底面を波状にして名札を斜めに立てかけられるようにして形成し、また名札の両側に棒状の突起を設けることにより左右の名札の整列を崩さないようにしている。また研修会名等を記した紙片を最上部に挿入できるようにした。【選択図】図２
0003111379.tif 000002
【実用新案登録請求の範囲】
【請求項１】
トレイの底面を波状にして名札を斜めに立てかけられるようにして利用者が自分の名札を取り出しやすいようにし、また名札の両側に突起を設けることにより左右の名札の整列を崩さないようにしたことを特徴とする名札トレイ。
【請求項２】
トレイ上部に研修会名等を記した紙片を差し挟めるようにしたところを特徴とする名札トレイ。
【考案の詳細な説明】
【技術分野】
【０００１】    本考案は、研修会場等において使用する名札を陳列するための、トレイに関するものである。
【背景技術】
【０００２】    研修会場等において、研修参加者が使用する名札は、通常、研修会場の入り口付近においてテーブル上のトレイ等にに並べておき、研修参加者は自らの名札を探しだし、取り出すこととなっている。【０００３】    研修参加者が使用する名札は、通常、水平面上に陳列するため、取り出しにくく、また、真上から自分の名札を探し出さなければならないため、名札を見つけ出しにくかった。さらに、名札を取り出した後、整列が崩れることがあり、見た目にも美しくないものとなることが多く、平面上に配置するためにトレイの設置スペースが大きくなりすぎることもあった。
【考案の開示】
【考案が解決しようとする課題】
【０００４】    したがって、本考案は、上記の問題点に対処し、名札を陳列するトレイから取り出しやすく、整列が崩れにくくなるような機能を与え、その配列を乱すことなく美しく整頓された陳列を保持し、さらにトレイの底面を傾斜させ、設置スペースを小さくすることにより前述の欠点を解決しようとするものである。【０００５】      さらに本考案は、研修会名、研修会主催団体、企業名等を表示することができるよう、トレイ最上部に紙片を挟み込むことにより研修会場等で参加者の入室をよりスムースなものとする。
【課題を解決するための手段】
【０００６】    本考案は、トレイの底面を波状にして名札を立てかけられるようにして形成し、また名札の両側に棒状の突起を設けることにより左右の名札の整列を崩さないようにしている。またトレイの底面を傾斜させることにより名札を立体状に配列するため、従来よりも陳列面積を削減して上記問題点を解決している。【０００７】    また、研修会等の名称を表示するための紙片を挟み込めるよう方形のプラスチックをＵ字状に形成し、上記問題点を解決する。
【考案の効果】
【０００８】    本考案は以上説明したように構成され、以下の効果を奏する。（１）トレイの底面が
【考案の効果】
【０００８】  本考案は以上説明したように構成され、以下の効果を奏する。（１）トレイの底面が波状に形成されるため、名札が見やすく、取り出しやすい。（２）名札の両側に棒状の突起を設けてあるため上下左右に名札が動かず、美しい陳列を保持できる。（３）トレイ底面を傾斜させることにより省スペースを実現している。（４）背面上部に企業名等を記載した紙片を挟み込むことにより研修会の内容を把握することができる。
【考案を実施するための最良の形態】
【０００９】  以下、図面を参照して本考案の実施の形態を説明する。【００１０】  図２符号４に示すように、トレイの底面は、名札を斜めに立てかけられるようにして形成する。【００１１】  図１符号１のように名札の両側に棒状の突起を設けることにより左右の名札の整列を崩さない。【００１２】  図２符号２に示すように、方形のプラスチック性の板をＵ字上に折り曲げ、隙間部３を形成し、研修会名等を記した紙片を挿入できるように形成している。
【図面の簡単な説明】
【００１３】
【図１】平面図
【図２】左側面図
【符号の説明】
【００１４】  １  名札ズレ防止用留め具
２  研修会名等表示用板
３  隙間部
４  トレイ本体
【図１】
0003111379.tif 000003
【図２】
0003111379.tif 000004
【手続補正書】
【提出日】平成17年2月22日(2005.2.22)
【手続補正１】
【補正対象書類名】実用新案登録請求の範囲
【補正対象項目名】全文
【補正方法】変更
【補正の内容】
【実用新案登録請求の範囲】
【請求項１】
トレイの底面を波状にして名札を斜めに立てかけられるようにして利用者が自分の名札を取り出しやすいようにし、また名札の両側に突起を設けることにより左右の名札の整列を崩さないようにしたことを特徴とする名札トレイ。
【請求項２】
トレイ上部にて方形のプラスチックをＵ字状に折り曲げ、トレイ上部に研修会名等を記した紙片を差し挟めるようにしたところを特徴とする請求項１に記載の名札トレイ。
(57)【要約】      （修正有）【課題】緊急災害時に最少限必要な補助器具を一体化、軽量化することにより簡単に持ち運び出来るような構造の器具を提供することである。【解決手段】ハンドル操作の発電装置とソーラーパネルでの発電装置を併用し、その電力を蓄電池にて蓄える。更に、懐中電灯、ラジオを装備させ、情報の確保を促し、普及率の高い携帯電話機の充電をも可能にする装置を小型一体化した器具とする。【選択図】図３
0003111377.tif 000002
【実用新案登録請求の範囲】
【請求項１】
災害時または遭難時等野外で緊急の場合に通信用の携帯電話への充電や、情報収集のためのラジオや、夜間の照明に必要な懐中電灯の点灯に必要な電力を簡単に供給、充電、発電それに蓄電を可能とする緊急災害時用器具。
【請求項２】
蓄電式電池を具備し、ハンドル式手動型の充電装置とソーラーパネルでの充電装置の両方を装備し常時蓄電を可能とし、消費電力の少ないダイオード発光の電灯と、多種電波を受けることの出来るラジオを装備させ、同時に携帯電話への充電も可能にする機能をすべて一体化させた携帯用緊急災害時用器具。
【考案の詳細な説明】
【考案の詳細な説明】
【技術分野】
【０００１】      本考案は災害時や緊急時に携帯電話に充電したり、情報収集のためにラジオを聞いたり、夜間照明用に懐中電灯を点灯したりする器具を装備した緊急災害時用器具に属する。
【背景技術】
【０００２】      従来の緊急災害時用器具は手動充電のみのものが多く、非力な方や、高齢者な方には操作が困難なものが多かった。また、蓄電可能の器具は本体が大きく、持ち運びに不便さがともなっていた。その上、緊急災害時器具は用途別にそれぞれを携帯しなければならず、持ち運びの際に何かが欠けてしまうことが多かった。
【考案が解決しようとする課題】
【０００３】        緊急時の持ち出しに最小限必要な器具は、通信器具、情報収集のための器具、また夜間の位置確認や進路確認のための道具である。それらを不足のないように簡単に持ち運びできる様に一体化、小型化、さらに軽量化することである。なおかつ、使用時に各器具に電力を簡単に供給できる様に発電と充電の機能を装備させることが重要である。
【課題を解決するための手段】
【０００４】      緊急災害時に持ち運びに便利で、最低必要な充電可能な器具を装備された蓄電式電池を具備した充電式一体型小型緊急災害時用器具を提供することである。
【考案を実施するための最良の形態】
【０００５】      〔図１〕において、夜間に要求される懐中電灯のスイッチ７とラジオ使用時のイヤーフォーンの差込口３が確認できます。【０００６】      〔図２〕の本考案品底面図ではラジオのスピーカー２の位置が確認されます。【０００７】      〔図３〕においては本考案品が小型化されるため折りたたみ箇所に内蔵された充電用のソーラーパネル４が確認されます。【０００８】      〔図４〕の右側面図から発電用のハンドル５の位置がわかります。【０００９】      〔図５〕の左側面図ではラジオと充電用の切り替えスイッチ６と、懐中電灯のＯＮ／ＯＦＦスイッチ７、及び携帯電話充電用コード差込口８がコンパクトに設置されている状態がわかります。更に、〔図６〕と〔図７〕で各操作部の位置がわかります。
【考案の効果】
本考案の活用により、突発的な自然災害の発生時に大きな荷物を抱えることなく、最低必要な携帯小型備品として、最大の効果を得られる器具の活用を可能にします。
懐中電灯で不安な暗黒の中で光を、不安な時に最新の情報を得るためのラジオを、携帯電話が万一電力不足に陥った際の充電に、更に、ハンドル式発電と少ない光源で充電が可能なソーラーパネル、その発電された電気を蓄電する蓄電池と多くの機能が小型一体化されている。緊急の場合に誰にでも簡単に持ち出せ、最大限の補助機能を得られ、人命の保護に大きな役割を果たせることとなる。
【図面の簡単な説明】
【００１０】
【図１】本考案品の上面図である。
【図２】本考案品の底面図である。
【図３】本考案品のソーラーパネル装着部の図である。
【図４】本考案品の右側面図である。
【図５】本考案品の左側面図である。
【図６】本考案品の斜め背面図である。
【図７】本考案品の斜め正面図である。
【符号の説明】
【００１１】１．  ＬＥＤ懐中電灯
２．  ラジオスピーカー
３．  イヤーフォーン差込口
４．  充電用ソーラーパネル
５．  発電用ハンドル
６．  ラジオ：充電切り替えスイッチ
７．  懐中電灯  ＯＮ／ＯＦＦスイッチ
８．  携帯電話充電コード差込口
【図１】
0003111377.tif 000003
【図２】
0003111377.tif 000004
【図３】
0003111377.tif 000005
【図４】
0003111377.tif 000006
【図５】
0003111377.tif 000007
【図６】
0003111377.tif 000008
【図７】
0003111377.tif 000009
【手続補正書】
【提出日】平成17年3月10日(2005.3.10)
【手続補正１】
【補正対象書類名】実用新案登録請求の範囲
【補正対象項目名】全文
【補正方法】変更
【補正の内容】
【実用新案登録請求の範囲】
【請求項１】
携帯用発電式充電器で蓄電式電池が内蔵されていることに加え、ソーラーパネル式発電装置とハンドル式手動型発電装置を具備し発電、蓄電が常時行えることを特徴とする緊急災害時用器具。
(57)【要約】      （修正有）【課題】廃棄せざるを得ない、古ダンボールと、畳製作の時に排出される、ポリスチレンホームの切れ端（屑）を貼り合せて、形成された畳床の下部材の提供。【解決手段】ダンボール１の上にポリスチレンホーム２と、ダンボール１を交互に積み重ねたものを、畳床の下部材４の厚さに、切断してブロック３にしたものを立てて並べて形成した畳床の下部材である。この下部材４の上に、インシュレーションボード６を重ねて縫い合せて畳床５に形成した畳床の下部材。【選択図】図１
0003111388.tif 000002
【実用新案登録請求の範囲】
【請求項１】
古ダンボールと畳製作の時に排出される、切断屑である、ポリスチレンホームの切れ端（屑）を交互に重ね、貼り合せたものを切断し、個個のブロックにしたものを縦に並べ立てて、縫い合せて、再利用することを特徴とする畳床の下部材。
【考案の詳細な説明】
【技術分野】
【０００１】本考案は、古ダンボールの上にポリスチレンホームの切れ端（屑）を横に並らべて、接着剤で貼り、更に古ダンボールをその上に貼り、更にその上に、ポリスチレンホームの屑を貼り、交互に積み重ねて、切断し個個のブロックにしたものを立てて並べて縫い合せた、畳床の下部材である。
【背景技術】
【０００２】従来から現在の畳床は、一枚物のポリスチレンホームをサンドイッチ状か一番下部に使用されている為、床下からの湿気を遮断して通気性が全くなく、建物の床板を腐食させていた。
【考案の開示】
【考案が解決しようとする課題】
【０００３】（１）古ダンボールやポリスチレンホームの廃棄物を再利用するから、ゴミの減量化につながる。
（２）ダンボールの波形の空間とポリスチレンホームの、切屑が不揃いで密着せず隙間が出来るから通気性がある。
本考案は、以上の問題点を解決するためになされたものである、畳床の下部材である。
【課題を解決するための手段】
【０００４】ポリスチレンホーム屑の間に、古ダンボールを縦に並べるので上からの圧力に強力である。
【考案の効果】
【０００５】（１）廃棄物を再利用するのでゴミの減量になる。
（２）従来の、ポリスチレンホームの一枚物を使用した、サンドイッチ状のものより通気性があり建物の床板を腐食させない。
【考案を実施するための最良の形態】
【０００６】  以下、本考案の実施形態を説明する。
ダンボール（１）の上にポリスチレンホーム（２）と、ダンボール（１）を交互に積み重ねたものを、畳床の下部材（４）の厚さに、切断してブロック（３）にしたものを立てて並べて形成した畳床の下部材である。この下部材（４）の上に、インシュレーションボード（６）を重ねて縫い合せて畳床（５）に形成したものである。
【図面の簡単な説明】
【０００７】
【図１】本考案の実施形態の斜視図
【図２】畳床に形成しようとする本考案の斜視図
【符号の説明】
【０００８】    １．ダンボール
２．ポリスチレンホーム
３．切断したブロック
４．畳床の下部材
５．畳床
６．インシュレーションボード
【図１】
0003111388.tif 000003
【図２】
0003111388.tif 000004
【手続補正書】
【提出日】平成17年3月26日(2005.3.26)
【手続補正１】
【補正対象書類名】実用新案登録請求の範囲
【補正対象項目名】請求項１
【補正方法】変更
【補正の内容】
【請求項１】
ダンボールと畳製作の時に排出される、切断屑である、ポリスチレンホームの切れ端を交互に重ね、貼り合せたものを切断し、個個のブロックにしたものを縦に並べ立てたことを特徴とする畳床の下部材。
(57)【要約】      （修正有）【課題】容器の倒れによる液体の自然流失で畳やジュウタン等の、汚損をなくすことができる容器蓋を提供する。【解決手段】液体の吐出方法を逆とし、吐出穴と空気穴は常時閉鎖しておき、使用時のみ閉鎖ボタン６を押す事により、パイプ穴が開き、液体は吐出する。使用が終われば２の丸型バネの反発力で自動的に二つのパイプ孔が塞がれるため、倒れても液漏れはない。常時開放を逆に常時閉鎖した事が解決手段の決め手となった。【選択図】図１
0003111381.tif 000002
【実用新案登録請求の範囲】
【請求項１】
瓶蓋の中心部に新たに上下に垂直に移動し且つ横揺れしない高精度のシャフトを通し、蓋の側面左右より、中心方向に液体吐出用パイプと、空気吸入用パイプを挿入し、パイプ先端を下方に曲げ、シャフトに組み入れたバネと下部に取付けたバルブがバネの反発力によりふたつのパイプ孔を閉鎖し、従来品とは逆作用の常時開放形式から、常時閉鎖形式を考案容器の使用時のみＡ−Ａ断面図の▲６▼のボタンを押えることにより、断面図１のようにバルブ▲３▼と、パイプとの間隔が広がり、液は吐出する。請求の範囲はバネの反発力がバルブを作動し液体吐出孔及び空気吸入孔を閉鎖する結果として従来開放型式の醤油等食器瓶を閉鎖形式とし、不測事態で倒れるも液が漏れない閉鎖形式蓋を請求の範囲とした。
【考案の詳細な説明】
【技術の分野】
【０００１】  本考案は醤油等食器瓶の容器が倒れるも液体がもれない事に関するものである。
【背景技術】
【０００２】  従来使用されている食卓瓶は長年愛用され当初の食卓環境は一部の人を除き一面簡素な面もあったため一般的に使用時の便利性に優れている現在の容器でみたされていた。【０００３】  しかし今や日本は核家族となり汚れを好まぬ若い家族又老人や親の社会も優雅を好むようになり食卓の下等周辺にジュータン等等を敷き衛生面においても好環境を好む時代となったため現在品の食器瓶が倒れた場合中の液体総て吐出しジュータン・畳などを汚す。
【考案の開示】
【考案が解決しようとする課題】
【０００４】  従来の醤油等食器瓶の容器が転倒すると人の手で容器を起し液漏れを防ぐ方法のみであるため容器を使用しない間の心配りが必要であるため容器を使用しない間の保管場所に心配りが必要であるため常時使用しない間は容器が倒れようとも液漏れしない瓶蓋を考案し課題を解決しようとするものである。
【課題を解決するための手段】
【０００５】  従来の醤油瓶等の容器はただ横に傾ける事によりいつでも流れ出るよう開放的に作られているため、不測事態で倒れた時など、液体は出放題であった。このような不測事態に流れ出る液体によりおこる、汚損等を解決するための手段として、常時出放題の開放形を、逆に常時閉鎖形蓋に改良することで解決することとし、使用する時はＡ−Ａ断面図▲６▼を指先で押すと図面のように、▲４▼の液体吐出孔と▲５▼空気吸入孔を塞いでいたバルブが下がり、理論的には従来の開放形と同じとなり、注ぎが終われば押えていた▲６▼の指を離すと、シャフトに組み込んだ図面▲２▼の丸型バネの反発力で▲４▼−▲５▼のパイプ孔を閉じ、閉鎖形容器となり倒れても転んでも液漏れはおきない。
【考案の効果】
【０００６】  幼児等手足の弱い者が食器瓶にふれ転倒した時、瓶の醤油等液体は総て流出し畳やジュウタンの等汚損の元となる恐れがあるがこの考案の効果はその恐れがなく、容器の使用後容器をどこに置こうと転倒や液漏れに気遣う必要がない事が考案の効果である。
【考案を実施するための最良の形態】
【０００７】  液体容器には圧力の必要がなく、醤油等液体の派手量は空気の吸入量とほぼ同じ位のため、▲４▼の液体パイプの下部と、▲５▼の空気パイプの下部を同時に開閉出来る形態とする事が、考案を実施するための最良の形態である。
【実施例１】
【０００８】  夜間作業等による肉体の疲れがひどく、帰宅後食事を済ますとそのまま寝込んでしまい、夕方気が付くと枕元の食卓板に置いてあった食器等醤油瓶も倒れ、枕やふとんの襟元や畳まで汚損したので大変困り、倒れても漏れない容器があるものかと各方面に問い合わせたがどこにもなく、結果として自分で作る事になり試作した結果、本考案品を１年ほど前に試作し、私の家庭において使用していた。その後夜間横になっていたことや実験のため倒したことも数多くあったが、失敗の記録は１度もなく、保管場所に気を遣う事もなくなった。
【図面の簡単な説明】
【０００９】
【図１】図２の平面図Ａ−Ａの断面図で従来の瓶蓋と同様の状況を作るため▲６▼のボタンを押し、液の吐出と相当量の空気を取り入れるために、パイプ孔の下部が開いた状況である。
【図２】上部から見た蓋を最も簡単に書いた平面図。
【図３】瓶蓋を取り付けた時の立体図。
【符号の説明】
【００１０】▲１▼  シャフト▲２▼  丸型バネ▲３▼  バルブ▲４▼  液体吐出孔▲５▼  吸気孔▲６▼  シャフト押えボタン▲７▼  瓶蓋
【図１】
0003111381.tif 000003
【図２】
0003111381.tif 000004
【図３】
0003111381.tif 000005
【手続補正書】
【提出日】平成17年3月29日(2005.3.29)
【手続補正１】
【補正対象書類名】実用新案登録請求の範囲
【補正対象項目名】全文
【補正方法】変更
【補正の内容】
【実用新案登録請求の範囲】
【請求項１】
瓶蓋の中心部に新たに上下に垂直に移動し且つ横揺れしない高精度のシャフトを通し、蓋の側面左右より、中心方向に液体吐出用パイプと、空気吸入用パイプを挿入し、２つのパイプ先端を下方に曲げ、シャフトに組み入れたバネと下部に取付けたバルブがバネの反発力により前記２つのパイプの下方の孔を閉鎖し、シャフト上部のボタンを前記バネに逆らって押えることにより、前記２つのパイプ孔を同時開放するようにした常時閉鎖形式の容器蓋。
(57)【要約】【課題】  居合刀の折れ防止を考案した居合刀のはばきの部分が、練習中や演武中に刀の本身が折れ、とぶことが、しばしばあり安全な練習、演武が行われるように工夫したものである。  居合刀のはばきの部分より折れるのをみぜんに防ぎたい。【解決手段】  居合刀の本身の部分が、はばきがおさまるヶ所に、従来直角な段差がついているが、そこより老朽化すると折れてとぶおそれ又実例があるので、その直角の部分をアールにすることにより切れ目をなくし、さらに万が一折れてとんだ場合に本身の部分がとんで行かない工夫をした。又、従来はばきの棟の部分の止める為の切込みがあるが、その部分の切込みを深くし、たゆみがあった場合の接点を広くした。【参考図】  図２【実用新案登録請求の範囲】
【請求項１】
居合刀のはばきを固定す部分の段差をアールにする。
【請求項２】
居合刀のはばき部の本身に繋ぎ金物取り付ける。
【考案の詳細な説明】
【技術分野】
【０００１】  居合の練習中、刀の根元部から折るのを防止しようとするものである。
【背景技術】
【０００２】  現在の居合刀には、その防止策は考慮されていない。
【考案の開示】
【考案が解決しようとする課題】
【０００３】  居合の練習中、居合刀の老朽化により根元の部分より折れることがしばしばあり自分への危険性、他所へ刃先がとんで行く危険性をみぜんにふせごうとするものである。
【課題を解決するための手段】
【０００４】  そこで本考案は、刀の根元、専門用語で、はばきの部分に工夫をこらし、万が一折れても、刃先がとばない止め金を取付けた。又、折れることをみぜんに防ぐためにはばき部分の刃じたいにも工夫をしている。
【考案の効果】
【０００５】  従来の居合刀は、刀の根元の部分に、はばき、鍔を固定するためにかぎがたに切り込み段差をつけているのが、特徴であるがそのかぎ形切込みの部分より刀をふりさげ、寸止めした場合、遠心力で、刀にたわみがでて、段差の部より折れているのが現状である。
そのヶ所に段差のかぎ形ではなく、アールをつけることにより、はばきとの接点を考慮し亀裂が生じない工夫をしている。又、万が一折れた場合、つなぎの金物を取り付け、はばきでおおう形をとった。又、はばきの棟の部分に切り込みがあるがそれを深くすることにより、たわみがあった場合、接点を広くもうけた。
【考案を実施するための最良の形態】
【０００６】  居合刀であれども日本の刀の美をそこなっては、古式の伝統をくずすことになるので、美観は現状と大差かわらない形状工夫をこらした。
【実施例】
【０００７】  刀の構成は、図１−２に示す刀の本身で、２の、はばき、３の鍔、７の、なかご、６、めくぎ、５のつか、で刀として構成されている。
本考案は、４に示す、２の、はばき止めの部分に工夫をこらした。
従来の４の部分は、かぎ形で直角に段差があって、はばきを止めているが、その部分から折れるため、アールにすることにより、裂け防止、さらに８のつなぎをすることにより、万が一折れた場合に１の本身がとばないようにした。
【産業上の利用可能性】
【０００８】  刀は日本古来の護身用、観賞用として愛用されているが、平和の現代社会では、武術の居合道としてその伝統をうけつがれて来ている。
その居合道の美学は言うまでもない。又、諸外国のその美学にとくに関心をもち今、世界に居合道が、広まりつつある。
【図面の簡単な説明】
【０００９】
【図１】  平面図
【図２】  側面図
【図３】  正面図
【図４】  背面図
【図５】  底面図
【図６】  拡大図  従来形
【図７】  拡大図  改良形
【符号の説明】
【００１０】  １  刀の本身
２  はばき
３  鍔
４  はばき止め
５  つか
６  めくぎ
７  なかご
８  つなぎ防止
【図１】
0003111384.tif 000002
【図２】
0003111384.tif 000003
【図３】
0003111384.tif 000004
【図４】
0003111384.tif 000005
【図５】
0003111384.tif 000006
【図６】
0003111384.tif 000007
【図７】
0003111384.tif 000008
【手続補正書】
【提出日】平成17年3月16日(2005.3.16)
【手続補正１】
【補正対象書類名】実用新案登録請求の範囲
【補正対象項目名】全文
【補正方法】変更
【補正の内容】
【実用新案登録請求の範囲】
【請求項１】
居合刀の、はばきを固定する部分に形成された段差にアールをつけた居合刀中折防止装置
【請求項２】
居合刀の、はばきとはばき部分を本身と繋ぐ、繋ぎ金物をつけた居合刀中折防止装置
(57)【要約】      （修正有）【課題】腹筋台を折りたたみ式にし使っていない時はソファーとして使えるようにする。【解決手段】４角形のフレーム台上部にクッションマットを取り付けた台と、収納式足かけの付いている４角形のフレーム台上部にクッションマットを取り付けた台との一辺どおしを蝶つがいで連結し折りたためるようにする。【選択図】図１
0003111385.tif 000002
【実用新案登録請求の範囲】
【請求項１】
折りたたみ式で、ソファーとしても使える腹筋台
【考案の詳細な説明】
【考案の詳細な説明】
【考案が解決しようとする課題】
【０００１】  従来、腹筋台はトレーニングルームが有る家以外、寝室かリビングに置いています。腹筋運動をしている時は役立っていますが、使っていない時は、他に使い用がないので、寝室やリビングのスペースを無駄にしているという問題点を有していた。
【課題を解決するための手段】
【０００２】腹筋台を折りたたみ式にし、ソファーとしても使える構造にした。
【考案の効果】
【０００３】  腹筋台として役立つのはもちろんの事、使っていない時はソファーとして使えるので、寝室やリビングのスペースを無駄なく使うことが出来る。
【図面の簡単な説明】
【図１】腹筋台として使っている時の斜視図である。
【図２】ソファーとして使っている時の斜視図である。
【符号の説明】
１      クッションマット
２      フレーム台
３      ちょうずがい
４      収納式足かけ
【図１】
0003111385.tif 000003
【図２】
0003111385.tif 000004
【手続補正書】
【提出日】平成17年2月16日(2005.2.16)
【手続補正１】
【補正対象書類名】実用新案登録請求の範囲
【補正対象項目名】全文
【補正方法】変更
【補正の内容】
【実用新案登録請求の範囲】
【請求項１】
４角形のフレーム台上部にクッションマットを取り付けた台と、収納式足かけの付いている４角形のフレーム台上部にクッションマットを取り付けた台との一辺どおしを蝶つがいで連結し折りたためるようにした台で、開けて腹筋台折りたたんでソファーとして使える腹筋台。
(57)【要約】【課題】  この考案の課題は、スティックタイプのストロボであっても色々の色付きフィルタが交換でき、しかも、携帯に便利なフィルタ付きストロボを提供するものである。【解決手段】  上記の課題を解決するために略円筒状で内部に電源機能、コントロール機能、発光機能及びその他機能を含みストロボとして必要な機能を内蔵したストロボ本体と、該ストロボ本体の上方の側部に設けた発光部と、該発光部を着脱自在に覆う色付き円筒状フィルタと、前記ストロボ本体の下部に装着され前記色付き円筒状フィルタと同形状で該色付き円筒状フィルタとは色違いの複数の交換フィルタとからなることによってスティックタイプのストロボでも色々の色フィルタが利用できるフィルタ付きストロボである。【選択図】  図１
0003111322.tif 000002
【実用新案登録請求の範囲】
【請求項１】
略円筒状で内部に電源機能、コントロール機能、発光機能及びその他機能を含みストロボとして必要な機能を内蔵したストロボ本体と、該ストロボ本体の上方の側部に設けた発光部と、該発光部を着脱自在に覆う色付き円筒状フィルタと、前記ストロボ本体の下部に装着され前記色付き円筒状フィルタと同形状で該色付き円筒状フィルタとは色違いの複数の交換フィルタとからなるフィルタ付きストロボ。
【請求項２】
前記色付き円筒状フィルタ及び交換フィルタはプラスチック材でなる請求項１記載のフィルタ付きストロボ。
【請求項３】
前記色付き円筒状フィルタ及び交換フィルタは側面に軸方向のスリットを形成したなる請求項１記載のフィルタ付きストロボ。
【請求項４】
前記交換フィルタは前記ストロボ本体の下部から挿入され、ストロボ本体の下部開口を蓋する蓋体で係止される構造でなる請求項１記載のフィルタ付きストロボ。
【考案の詳細な説明】
【技術分野】
【０００１】
この考案はスティックタイプのストロボでこのストロボの上部にある発光部にカラーフィルタを装着でき、しかもこれを色違いの他のフィルタと交換できるようにしたフィルタ付きストロボに関する。
【背景技術】
【０００２】
従来、所謂外付けのストロボもいろいろの形状が考察されユーザの購買意欲を高めようとされていて、スティックタイプのストロボ等も考えられている。このスティックタイプのストロボは上部に発光部が形成されていて、下部に電池を内蔵し、これ以外の内部にストロボとしての機能が内蔵されている。こういったストロボでも色フィルタが要求されしかも色々の色が要求される。従って、これらの色がストロボに着脱できて利用出来ることが望まれる。
【特許文献１】特開平１−１７８９４４号公報
【考案の開示】
【考案が解決しようとする課題】
【０００３】
従って、この考案の課題は、スティックタイプのストロボであっても色々の色付きフィルタが交換でき、しかも、携帯に便利なフィルタ付きストロボを提供するものである。
【課題を解決するための手段】
【０００４】
上記の課題を解決するために略円筒状で内部に電源機能、コントロール機能、発光機能及びその他機能を含みストロボとして必要な機能を内蔵したストロボ本体と、該ストロボ本体の上方の側部に設けた発光部と、該発光部を着脱自在に覆う色付き円筒状フィルタと、前記ストロボ本体の下部に装着され前記色付き円筒形フィルタと同形状で該色付き円筒状フィルタとは色違いの複数の交換フィルタとからなることによってスティックタイプのストロボでも色々の色フィルタが利用できるフィルタ付きストロボである。
【考案の効果】
【０００５】
請求項１では色々の色付きフィルタを携帯でき、しかもこれらの交換も容易で大変便利である。
請求項２ではフィルタをプラスチック部材で形成するから弾力性があって良くストロボ本体になじむ。
請求項３ではフィルタの側面に軸方向にスリットを形成してあるからストロボ本体への装着が容易である。
請求項４では電池を蓋する蓋体をフィルタの係止に利用するからフィルタがストロボ本体から脱落することはない。
【考案を実施するための最良の形態】
【０００６】
（実施形態１）
以下、この考案の実施例を添付図面、図１に基づいて説明する。
図１の１はプラスチック製で円筒状のストロボ本体で、このストロボ本体１の上部の側部には発光部２が形成してある。この発光部２の内部には放電管が配置され発光するようになっている。前記ストロボ本体１の下部の開口部には内部に電池を内蔵する蓋体３が装着されていて蓋体３を開閉して電池が交換出来るようになっている。
【０００７】
前記ストロボ本体１の発光部２には色付き円筒状フィルタ４が装着されている。この色付き円筒状フィルタ４は前記発光部２の周面に密着出来るように寸法を設定している。すなわち、該色付き円筒状フィルタ４が発光部２に装着出来るように前記ストロボ本体１の頭部から発光部２まで僅かに円錐形状になっていて、発光部２に色付き円筒状フィルタ４が位置的に外れないで合致出来るようになっている。
【０００８】
前記ストロボ本体１の下部には色々の色付きの交換フィルタ５、６が装着されていてこれらは蓋体３の鍔で容易にストロボ本体１から脱落しないようになっている。すなわち蓋体３の鍔はストロボ本体１の直径より長く設定してあるからこの鍔が交換フィルタ５，６を引っ掛けて結局交換フィルタ５，６が安定にストロボ本体１に装着継続する。
【０００９】
しかして、前記発光部２の上に装着してある色付き円筒状フィルタ４を交換する場合は、該色付き円筒状フィルタ４を指先で摘んで上方に引き上げるとストロボ本体１から外れる。この後前記ストロボ本体１の下部に装着してある交換フィルタ５，６の一つを蓋体３を外して取り出し、この取り出した交換フィルタ５，６を上部から挿入して（この場合上部は円錐形になっているから容易に挿入できる）発光部２に装着する。
【００１０】
その後前記外した色付き円筒状フィルタ３をストロボ本体１の下部から挿入し蓋体３を蓋すれば、外した色付き円筒状フィルタ３はストロボ本体１から脱落することなく装着継続できる。尚、実施例では円筒状でフィルタ３及びストロボ本体１を説明したが他の形状であっても良いこと勿論である。また、色付き円形状フィルタ４，及び交換フィルタ５，６は周面を半分程度用いているが、この残りの半分をカラーフィルターとすることで倍のカラーフィルタが得られるものである。
【図面の簡単な説明】
【００１１】
【図１】この考案に係わるストロボ本体の斜視図。（実施形態１）
【符号の説明】
【００１２】
１  ストロボ本体
２  発光部
３  蓋体
４  色付き円筒状フィルタ
５，６  交換フィルタ
【図１】
0003111322.tif 000003
(57)【要約】      （修正有）【課題】大幅に置き場所の制約が、軽減され、その結果コンパクトそして、スマート使用できるティシュＢＯＸ及びティシュＢＯＸ専用ケースを提供する。【解決手段】箱の上部から取り出すので無く、側面から取り出せるよう製作したケースにティシュを箱のまま収納し、側面取り出し方式とする。又は、従来の製品に新たに側面取り出し口を追加し、取り出し方向を選択出来るようにする。【選択図】図１
0003111366.tif 000002
【実用新案登録請求の範囲】
【請求項１】
現行販売されているティシュＢＯＸに新たに側面に取り出し口を設け使用場所により取り出し口を選択できる。
【請求項２】
側面に取り出し口を設けたティシュＢＯＸ専用収納ケース
【考案の詳細な説明】
【考案の詳細な説明】
【考案が解決しようとする課題】
【０００１】  現在販売されている商品は、上方に引き抜く事でティシュを取り出していましたが、これでは、取り出す為のスペースが必要になり、常に最上部に置かなければなりません。それに、上に何か置かれてしまえば、取り出せなくなってしまいます。それにゆえ、どこに配置しても非常に目立ち存在感がありすぎるのです。
【課題を解決するための手段】
【０００２】  上記目的を達成するために、箱の上部から取り出すので無く、側面から取り出せるよう製作したケースにティシュを箱のまま収納し、側面取り出し方式とする。又は、従来の製品に新たに側面取り出し口を追加し、取り出し方向を選択出来るようにする。
【０００３】  これにより、上部に取り出すためのスペースがなくても良いため、棚の中、あるいは、本棚、車内、書類の散乱したデスクに埋もれてもよいでしょう。このように、大幅に置き場所の制約が、軽減され、その結果コンパクトそして、スマート使用できるでしょう。
【図面の簡単な説明】
【図１】取り出し口の位置及び、ティシュ収納ケースの斜視図である。
【図２】ティシュ収納ケースの断面図である。
【符号の説明】
１    従来の取り出し口
２    新設取り出し口、従来型同様にカットが入り簡単に取り出し口となる。
３    取り出し口
４    市販品ティシュ
【図１】
0003111366.tif 000003
【図２】
0003111366.tif 000004
【手続補正書】
【提出日】平成17年2月22日(2005.2.22)
【手続補正１】
【補正対象書類名】実用新案登録請求の範囲
【補正対象項目名】全文
【補正方法】変更
【補正の内容】
【実用新案登録請求の範囲】
【請求項１】
ティシュＢＯＸに新たに側面に取り出し口を設け、使用場所により取り出し口を選択できるようにしたティシュＢＯＸ。
【請求項２】
側面に取り出し口を設けたティシュＢＯＸ専用収納ケース
(57)【要約】      （修正有）【課題】フレミングの左手、右手の法則を、指を使わず、垂直に交わる指示板で示すことができるフレミングの法則説明装置を提供する。【解決手段】Ｔ字形の２枚の板を作り、接着する。ＰＱおよびＱＲより左側、すなわち点線より左側を赤色に、点線より右側を灰色に着色する。各部分に、それぞれ、磁界、磁界より受ける力、電流、磁界、導線の移動方向、誘導電流の向き、の文字を記入する。【選択図】図２
0003111370.tif 000002
【実用新案登録請求の範囲】
【請求項１】
図１のように、Ｔ字形の２枚の板を作り、図２のように、辺ＸＹで直角に交わるように接着する。図１において、点線ＰＱおよびＱＲより左側、すなわち点線より左側を赤色に、点線より右側を灰色に着色する。１、２、３、４、５、６の部分に、それぞれ、磁界、磁界より受ける力、電流、磁界、導線の移動方向、誘導電流の向き、の文字を記入する。以上のように、フレミングの左手の法則、右手の法則を示す部分を２つ横に並べた形を特徴とする装置。
【考案の詳細な説明】
【考案の精細な説明】
【技術分野】
【０００１】  本考案はフレミングの法則を説明するための装置である。
【背景技術】
【０００２】  電磁気を学ぶ場合、磁界から受ける力や、誘導電流の向きは、フレミングの法則を用いて説明しています。【０００３】  しかし、教科書からは、フレミングの法則の説明は削除されています。実際にこの法則を用いる場合、指を開いた状態では、指の方向が、装置での、磁界や電界の方向を向いているとは限らず、腕や体を動かす必要があります。体が自由に動く人にとっても大変です。この法則の説明が削除された理由は、体の不自由な人への配慮からだと思います。【０００４】  しかしながら、フレミングの法則を用いないで、電磁気の初歩を学ぶことは至難です。【０００５】  対策として、指の方向が一致するように、腕や体を動かしたり、テスト問題では、答案用紙を動かす方法がありますが、目標の方向に指を向ける操作は煩雑です。
【考案が解決しようとする課題】
【０００６】  解決しようとする問題点は、導線を流れる電流や磁界の方向が、指を自然に広げた状態では、指の方向と一致しない場合が多いことである。
【課題を解決するための手段】
【０００７】  本考案は指の代わりに、指を直角に開いた方向を向くような指示板を作り、各指示板が直角に交わるようにする。
【考案の実施形態】
【０００８】  図２の装置は、指を開いた状態で指示板の、赤色部分が左手の法則、灰色部分が右手の法則を示す形態をしている。
【実施例】
【０００９】  図１は組み立て前の部品で、１，２，３，４，５，６は名称を記入する位置である。点線ＰＱおよび点線ＱＲは、左右色分けするための境界である。図２は２つの板の辺ＸＹを、直角に交わるように接着した完成品の斜視図。図３は応用例を示す斜視図。
【考案の効果】
【００１０】  図２の装置でフレミングの左手の法則を調べるときは赤色側、右手の法則を調べるときは灰色側を利用すると、求めたい方向がわかる。
【図面の簡単な説明】
【図１】図１は装置の部品を示す図である。
【図２】２つの法則を示す部分が横に並んだ形をしている完成図。
【図３】図２の装置の応用例を示す図。
【符号の説明】
１    磁界  の文字を記入
２    磁界より受ける力  の文字を記入
３    電流    の文字を記入
４    磁界  の文字を記入
５    導線電流の移動方向  の文字を記入
６    誘導電流  の文字を記入
Ｐ，Ｑ，Ｒ，Ｓ，Ｔ，Ｕ，Ｖ    場所を示す
【図１】
0003111370.tif 000003
【図２】
0003111370.tif 000004
【図３】
0003111370.tif 000005
【手続補正書】
【提出日】平成17年3月12日(2005.3.12)
【手続補正１】
【補正対象書類名】実用新案登録請求の範囲
【補正対象項目名】全文
【補正方法】変更
【補正の内容】
【実用新案登録請求の範囲】
【請求項１】
Ｔ字形に切った板２枚を直角に交わるように接着材で繋ぎあわせて、十字型の板が繋ぎ目で９０度折れ曲がった形にし、繋ぎ目の中心、すなわち、のりしろの中央部から、２枚の板が左右対称に分かれるように、のりしろに垂直に交わる面を想定し、その面を境にして、折れ曲がったＴ字の一方の側、すなわち、折れ曲がったＴ字型の端が、左手の人さし指、中指、親指を直角に開いたときの方向と一致する側を赤色に着色し、赤色に着色された部分の３つの端で、左手の人さし指、中指、親指を直角に開いたときに指の方向に相当する部分にそれぞれ、磁界、電流、磁界から受ける力と記入し、折れ曲がったＴ字の他方の側を灰色塗装し、灰色に着色された３つの端で、右手の人さし指、中指、親指を直角に開いたときに指の方向に相当する部分にそれぞれ、磁界、誘導電流、導線の移動方向と記入する、以上の構成からなるフレミングの法則説明装置。
(57)【要約】      （修正有）【課題】使用時に汚れやすい磁性体粉末入り塗材を塗らなくても済むような、耐久性があり使用感の良い沈痛消炎用貼付材を提供する。【解決手段】表裏層を布状体１Ａ、１Ｂとし、中間層を磁性体粉末が混合されたエラストマー３とした、サンドイッチ構造のシート状物から成る沈痛消炎用貼付材とする。【選択図】図１
0003111369.tif 000002
【実用新案登録請求の範囲】
【請求項１】
表裏層を布状体とし、中間層を磁性体粉末が混合されたエラストマーとした、サンドイッチ構造のシート状物から成ることを特徴とする沈痛消炎用貼付材。
【考案の詳細な説明】
【技術分野】
【０００１】  この考案は、主に身体の痛みや炎症などの症状に対応するために用いられる沈痛消炎用貼付材に関する。
【背景技術】
【０００２】  筋肉痛その他の諸症状を緩和させるために様々な貼付材や塗布材、或いは特殊絆などが各種用いられているのは周知の通りである。皮膚に軟膏類を直接塗り、或いはガーゼに塗ってこれを貼付するのもそれらの一つであるが、最近ではその軟膏類の中にフェライトのような磁性体の粉末を混合し、これを着磁することによって、患部に磁場を面状に与える試みもなされている。
【考案の開示】
【考案が解決しようとする課題】
【０００３】
【０００４】  このような磁性体粉末を混合した貼付材は本考案者も既に各種試みているが、実際に使用するにあたり、軟膏類の塗布作業がかなり面倒であるばかりか、磁性体粉末は一般に黒色を呈するため、あたかもペンキを塗る作業のように周辺を汚したり、その汚れがなかなか落ちないなどの問題点があった。【０００５】  本考案はかかる問題点を解決して、使用時に塗布作業を要せず、周辺も汚さない着磁可能な貼付材を提供することを課題とする。
【課題を解決するための手段】
【０００６】  表裏層を布状体１Ａ，１Ｂとし、中間層を磁性体粉末２が混合されたエラストマー３とした、サンドイッチ構造のシート状物にして、本考案の沈痛消炎用貼付材とする。【０００７】  ここにおける布状体１Ａ，１Ｂは、一般に凹凸があり動きのある人体に粘着絆や包帯などを用いて貼着するものであるから、ある程度伸縮性のあるガーゼ様のものが好ましい。【０００８】  また磁性体粉末２にはコストや分散性などの点からフェライト粉末が適しており、これを混合するエラストマーとしてはシリコン樹脂やウレタン樹脂等が挙げられるが、無害性や美感などから前者が好ましい。すなわち、粘液状のエラストマーシリコン樹脂にフェライト粉末２と硬化剤を混合してこれを布状体１Ａ又は１Ｂの片面に塗布し、塗布面を重ね合わせてそのまま樹脂を硬化させれば、本考案のサンドイッチ構造のシート状貼付材が得られる。【０００９】  なお磁性体粉末２の着磁は、当該シート状貼付材の製造時点で行なっても、或いは使用時において身体に貼付後に行なってもよいが、途中で磁気が消失するおそれがあるから、後者のように着磁することが望ましい。
【考案の効果】
【００１０】  本考案によれば、磁性体粉末配合の塗布材を予め布状体に塗布してこれが乾燥ないし硬化した後に使用しても、その硬化物は柔らかくゴム状であるからシート状貼付材としての物性を損なうことがなく、外部に逸脱することもない。従って実際に患部に貼って使用する際に塗布材を塗布する必要がなくなり、所望寸法にカットするのみで直ちに身体に貼付して使用することができる。なお表面や裏面は布体が露出しているから、皮膚面の通気性や風合いなどを損なうこともない。
【考案を実施するための最良の形態】
【００１１】  幅約２０ｃｍの長尺綿布の片面にフェライト粉末約２０Ｗ％配合の未硬化シリコンエラストマー樹脂を塗布し、その上を別の同様の綿布で覆ってサンドイッチ状にして硬化させた後にロール巻きし、製品化する。【００１２】  なお、保護シート付き絆創膏テープを当該シート状貼付材の辺縁部に予め取り付けておけば、使用時には保護シートを除去することにより直ちに身体の患部に貼付することができ、他に止め具は不要となる。【００１３】  また、上記のようなロール巻きの長尺物にしてこれを随時裁断するのでなく、例えば、縦横寸法がそれぞれ約１０×１５ｃｍ、１０×２０ｃｍ、１５×２０ｃｍの、腕、脚、肩、背中、腰など大人や小人用の各サイズの長方形シートを一対ずつ用意したようなセット商品にしてもよい。【００１４】  上記の本考案のシート状貼付材を患部に貼付してから着磁するには、別考案のアイロンこて状の強力磁石入り着磁具を用いれば容易に出来る。
【産業上の利用可能性】
【００１５】  上記の本考案の鎮痛消炎用貼付材は、これにアイロンこて状強力磁石をセットにして用意することにより、筋肉痛、腰痛、肩凝り、痛風、リウマチ、その他甚だ多方面の疾患症状を緩和させるのに甚だ便利であることが実証されており、その際、使用時に汚れやすい塗材をその都度塗布する必要がなく、また耐久性もあり製造も容易であるから、産業上の利用可能性は十分であるといえる。
【図面の簡単な説明】
【００１６】
【図１】本考案一例の見取図
【図２】本考案一例の一部拡大断面図
【符号の説明】
【００１７】１Ａ，１Ｂ……布状体
２……磁性体粉末
３……エラストマー
【図１】
0003111369.tif 000003
【図２】
0003111369.tif 000004
(57)【要約】      （修正有）【課題】ろうそく台の芯に溶けたろうそくが付着しない様に細い芯を継持出来る様に火災の原因になる事をなくす事を目的とする。【解決手段】ろうそくの下部にろうそくの糸をらせん状に巻く事によって溶けて付着するろうそくを寄せつけず燃焼させる補助ミニローソク。【選択図】図２
0003111361.tif 000002
【実用新案登録請求の範囲】
【考案の詳細な説明】
【技術分野】本考案は、火がついたままのろうそくが倒れて、火事の原因になる時が多くありましたので、ろうそくが倒れない様に考案しました。
【背景技術】従来のろうそくは、１本のろうそくで燃焼後、ろうそく立ての芯に溶けて付着して何重にも重なっている上に、ろうそくを立てるのは不安定だった。
【考案の開示】
【考案が解決しようとする課題】ろうそく立ての芯に溶けてしまったろうそくが付着して、ろうそく立ての芯が太くなっているので細い芯を継続出来る様に考案しました。
【課題を解決するための手段】ろうそく立ての芯に付着しているろうそくを取り除き、毎回ろうそくを立てても細い芯が維持出来る様に、ろうそくの糸が直線ではなく、ろうそく立ての芯を囲む様にしている。
【考案の効果】ろうそくの糸をらせん状に巻く事によって溶けて付着するろうそくを寄せつけず燃焼してくれる。
【考案を実施するための最良の形態】本考案をらせん状に巻く事によってろうそく立ての芯を糸が囲む様になっているので細い芯を継持出来、安定出来、ろうそくが倒れて火事の原因になる事がない。
【実施例】ろうそく立てにらせん状に巻いた補助ローソクを置き、その上に従来のろうそくを置く時に補助ローソクに溶けたローソクを十分溶かして従来のろうそくを接着の役目をはたす様にして乗せて火をつけ、らせん状に巻いているのでろうそく立ての芯に溶けたろうそくを寄せつけず細い芯を維持出来る。
【要約】
本考案は、ろうそく立ての芯に溶けたろうそくが付着し何重にも重なりろうそく立ての芯が太くなり次回ろうそくを立てようとしても、一時的には立てても油断して火がついたまま倒れて、火災の原因になる事をなくす目的とする。
【図案】
【図面の簡単な説明】
【図１】ろうそく台に乗せた補助ローソクを示した平面図である。
【図２】ろうそく台の上に補助ローソクを乗せその上に従来のローソクを乗せた平面図である。
【図１】
0003111361.tif 000003
【図２】
0003111361.tif 000004
【手続補正書】
【提出日】平成17年3月7日(2005.3.7)
【手続補正１】
【補正対象書類名】実用新案登録請求の範囲
【補正対象項目名】全文
【補正方法】変更
【補正の内容】
【実用新案登録請求の範囲】
【請求項１】
小さいミニろうそくの内側に糸をらせん状に巻く事を基本とした補助ミニローソク。